(57)【要約】【課題】  測定範囲の異なる複数の計測器からの計測信号を切換え使用するに際して、これら計測器自体がスケーリング機能を有していなくとも、これら計測器を接続して使用可能にしたメータセレクタを提供する。【解決手段】  本発明は、所定精度内で測定可能の測定範囲が異なりかつ測定値をパルスとして出力する複数の測定器と、該複数の測定器からの測定出力をそれぞれ入力すると共に、これら測定出力のいずれかを、その測定出力の値に基づいて選択して出力するメータセレクタと、該メータセレクタの入力に挿入される少なくとも１つのスケーラと、を備える。そして、複数の測定出力が、メータセレクタの選択に拘わらず同じパルス重みを有するようにスケーラを調整する。【選択図】図１
2005056097.tif 000002
【特許請求の範囲】
【請求項１】
所定精度内で測定可能の測定範囲が異なり、かつ測定値をパルスとして出力する複数の測定器と、
該複数の測定器からの測定出力をそれぞれ入力すると共に、これら測定出力のいずれかを、その測定出力の値に基づいて選択して出力するメータセレクタと、
該メータセレクタの入力に挿入される少なくとも１つのスケーラと、を備え、
前記複数の測定出力が、メータセレクタの選択に拘わらず同じパルス重みを有するように前記スケーラを調整するよう構成したことからなるメータセレクタを有する測定装置。
【請求項２】
前記複数の計測器は、配管上に直列に設けられた大流量計と小流量計であり、該小流量計と並列に制御バルブを備えたバイパスラインを設け、前記メータセレクタは、大流量計の出力信号に基づいて該制御バルブを開閉すると共に、該制御バルブからの開閉状態検出信号を受けて、該メータセレクタの最終出力信号として大流量計又は小流量形のいずれかの出力信号を選択し出力するよう構成した請求項１に記載の測定装置。
【発明の詳細な説明】
【技術分野】
【０００１】
本発明は、複数の測定器からの測定出力のいずれかを、その測定出力の値に基づいて選択して出力するメータセレクタを有する測定装置に関する。
【背景技術】
【０００２】
計測値、例えば流量値を小流量から大流量まで広範囲に測定するために、小流量計と大流量計の２つの流量計を用いて、流れる流量に応じてそれらの出力信号を切換え使用するメータセレクタが知られている。図３は、このような従来のメータセレクタを説明する図である。
【０００３】
図示のメータセレクタの２つの入力には、大流量計からの流量入力Ａと小流量計からの流量入力Ｂがそれぞれ入力されている。メータセレクタは流れる流量に応じて、制御バルブ（図示省略）に対し、切換信号を出力すると共に、この切換え完了の信号がメータセレクタ制御信号として入力され、これによって、大流量計或いは小流量計からの入力を選択して出力する。
【０００４】
このように、従来のメータセレクタは、２つの入力のうちいずれかを選択して出力するだけのものであるため、２つの流量入力は同じパルス重みとしておく必要がある。さもなければ、制御信号が切り替わる度に、重みの異なるパルスが出力されてしまうことになる。それ故、このようなメータセレクタに直接結合できる流量計は、パルスの重みを調整することができる「スケーリング機能」が付いているタイプのものに限定されていた。
【発明の開示】
【発明が解決しようとする課題】
【０００５】
本発明は、係る問題点を解決して、測定範囲の異なる複数の計測器からの計測信号を切換え使用するに際して、これら計測器自体がスケーリング機能を有していなくとも、これら計測器を接続して使用可能にしたメータセレクタを提供することを目的としている。
【課題を解決するための手段】
【０００６】
本発明のメータセレクタを有する測定装置は、所定精度内で測定可能の測定範囲が異なり、かつ測定値をパルスとして出力する複数の測定器と、該複数の測定器からの測定出力をそれぞれ入力すると共に、これら測定出力のいずれかを、その測定出力の値に基づいて選択して出力するメータセレクタと、該メータセレクタの入力に挿入される少なくとも１つのスケーラとを備える。そして、複数の測定出力が、メータセレクタの選択に拘わらず同じパルス重みを有するようにスケーラでパルス重みを調整するよう構成したことを特徴としている。
【０００７】
また、複数の計測器は、配管上に直列に設けられた大流量計と小流量計であり、該小流量計と並列に制御バルブを備えたバイパスラインを設け、前記メータセレクタは、大流量計の出力信号に基づいて該制御バルブを開閉すると共に、該制御バルブからの開閉状態検出信号を受けて、該メータセレクタの最終出力信号として大流量計又は小流量形のいずれかの出力信号を選択し出力するよう構成したものである。
【発明の効果】
【０００８】
本発明によれば、メータセレクタの入力に挿入されるスケーラを備えて、複数の測定出力が、メータセレクタの選択に拘わらず同じパルス重みを有するようにスケーラを調整するよう構成したものであるから、測定範囲の異なる複数の計測器からの計測信号を切換え使用するに際して、これら計測器自体がスケーリング機能を有していなくとも、これら計測器を接続して使用することができる。
【発明を実施するための最良の形態】
【０００９】
以下、例示に基づき本発明を説明する。図１は、本発明を具体化するメータセレクタのシステム構成を例示する図である。以下、このメータセレクタを「流量計の選択及び出力」に適用した場合について説明する。測定された流量値は、それに比例したパルス周波数或いは所定時間内のパルス数（パルス数／秒）を有するパルス信号に変換して伝送される。例えば、渦流量計の場合、流量値に比例した周波数で発生する生信号をパルスに成形することにより、流量値に比例したパルスを出力することができる。
【００１０】
図示のように、パイプライン内に、直列に大流量計と小流量計が設けられている。大流量計は、大流量を精度良く測定することができ、また、小流量計は小流量を精度良く測定することができるタイプのものである。この小流量計と並列にバイパスラインが設けられ、このバイパスライン内にはそこに流れる流量を開閉することのできる制御バルブが設けられている。このような配置によって、大流量計は、制御バルブの開閉に拘わらず、常にパイプラインの流量を測定可能であるが、小流量時には精度良く測定することができないタイプのものである。小流量時には、バイパスラインの制御バルブが“閉”にされるために、全流量が小流量計を通って流れ、これによって小流量計によって流量は精度良く測定される。
【００１１】
図示のメータセレクタは、大流量計で計測した流量と設定された流量とを比較して、制御バルブの開閉を行うと共に、制御バルブから全閉信号を受けて、大小流量計からのパルス信号を選択して出力する。このように、複数の（２台として図示）流量計とバイパスラインを開閉する制御バルブを用い、流量により自動的にその流量範囲にある流量計からパルス信号を選択し、基準精度範囲内での流量範囲の拡大を図るシステム構成となっている。
【００１２】
さらに、この詳細な動作について、図２を参照して説明する。今、バルブ制御出力として”閉”信号が出されて、制御バルブ（図１）が閉じていると仮定する。この状態では、後述するように、メータセレクタは小流量計からの流量入力（小）を選択している。但し、流量判定部は、メータセレクタの選択に拘わらず、大流量計からの流量値を判定するよう接続されている。これは、図示の配置から明らかなように、大流量計は、パイプラインに流れる流量を常に測定可能の位置にあり、かつ、制御バルブを制御する流量においては十分な精度で測定できるからである。
【００１３】
上述の仮定において、流量判定部で判定される流量入力（大）のパルス信号が徐々に増加すると、図２の下側のライン上を右方向に移動する。そして、上限設定値以上となると、これは、図１の流量判定部により判定されて、バルブ制御出力“開”信号を出力する。
【００１４】
制御バルブが“開”になると、バルブスイッチ（全閉リミットスイッチ）が反転し、その信号に基づき、メータセレクタの切換部が切り換えられて、その結果、選択後流量出力は、流量入力（小）から流量入力（大）の信号に切り換えられる。この状態で、図２に示される上側のラインに移動する。この状態で、仮に流量入力（大）のパルス信号が徐々に減少して下限設定値以下となると、これはまた、図１の流量判定部で判定されて、バルブ制御出力を反転させ、制御バルブを“閉”にする。そして、制御バルブの全閉は、バルブスイッチ（全閉リミットスイッチ）によって検出されて、この検出信号がメータセレクタの切換部を制御して、小流量計からの流量入力（小）を選択して、上記の仮定した状態に戻る。
【００１５】
このように、切換部は、２つの入力のそれぞれに、大流量計及び小流量計からの流量入力を接続すると共に、流量判定部からのバルブ制御出力により開閉されるバルブ状態検出信号に基づき、２つの入力のいずれかを選択して出力するものである。
【００１６】
そして、本発明は、小流量計からの入力をメータセレクタの切換部に接続するに際して、スケーラを介して接続することを特徴としている。このスケーラは、２つの流量入力が、同じパルス重みを有するように調整するものであるから、一方の入力に挿入しておけば十分である。このスケーラを調整しておくことによって、制御信号が切り替わる度に、重みの異なるパルスが出力されてしまうようなことにはならない。また、このようなメータセレクタに直接結合できる流量計は、パルスの重みを調整することができる「スケーリング機能」が付いているタイプのものに限定されることもない。
【００１７】
以上、本発明を例示に基づき説明したが、本発明のメータセレクタは、「流量計の選択」に限らず、一般的測定器の選択に適用することができる。
【００１８】
また、スケーラを切換部の小流量入力側に挿入した例を説明したが、大流量入力側に挿入することもでき、さらに、切換部の入力が２つの場合について説明したが、さらに多くの数の入力の切換に適用可能であり、この場合、スケーラも１つの入力を除いた他の全ての入力に挿入される。
【図面の簡単な説明】
【００１９】
【図１】本発明を具体化するメータセレクタのシステム構成を例示する図である。
【図２】図１に例示のメータセレクタの動作を説明する図である。
【図３】従来のメータセレクタを説明する図である。
【図１】
2005056097.tif 000003
【図２】
2005056097.tif 000004
【図３】
2005056097.tif 000005